(57)【要約】熱源側ユニット１００Ａは、吸引口１２１Ａおよび吹出口１２２Ａが形成された本体ケース１２０Ａと、本体ケース１２０Ａに収容され、吸引口１２１Ａと吹出口１２２Ａとの間の風路に設置された熱交換器１０３Ａ１と、熱交換器１０３Ａ１よりも上方に設置され、風路を開閉するダンパー１４３Ａと、を備え、熱交換器１０３Ａ１に付着した霜を除霜する除霜運転を行う際に、ダンパー１４３Ａが閉じられる。
2015121985.tif 000002
【特許請求の範囲】
【請求項１】
吸引口および吹出口が形成された本体ケースと、
前記本体ケースに収容され、前記吸引口と前記吹出口との間の風路に設置された熱交換器と、
前記熱交換器よりも上方に設置され、前記風路を開閉するダンパーと、を備え、
前記熱交換器に付着した霜を除霜する除霜運転を行う際に、前記ダンパーが閉じられることを特徴とする熱源側ユニット。
【請求項２】
前記吹出口は、前記吸引口および前記熱交換器よりも上方に形成されたことを特徴とする請求項１記載の熱源側ユニット。
【請求項３】
前記吸引口は、前記熱交換器よりも下方に形成されたことを特徴とする請求項１または請求項２に記載の熱源側ユニット。
【請求項４】
前記本体ケースの外側の外気を前記吸引口から吸い込み、前記熱交換器に通過させ、前記吹出口から吹き出すように空気流れを発生させる送風機をさらに有し、
前記除霜運転を行う際に、前記送風機が停止されることを特徴とする請求項１〜請求項３の何れか１項に記載の熱源側ユニット。
【請求項５】
前記送風機は、前記熱交換器と前記ダンパーとの間に設置されたことを特徴とする請求項４記載の熱源側ユニット。
【請求項６】
前記本体ケースは、前記本体ケースの上方を覆う吹出し側フードを含み、
前記吹出口は、前記吹出し側フードの側方に形成されたことを特徴とする請求項１〜請求項５の何れか１項に記載の熱源側ユニット。
【請求項７】
前記ダンパーは、前記吹出口に設置されたことを特徴とする請求項１〜請求項６の何れか１項に記載の熱源側ユニット。
【請求項８】
前記本体ケースは、前記本体ケースの側面から突出した吸込み側フードを含み、
前記吸引口は、前記吸込み側フードの下側開口部に形成されたことを特徴とする請求項１〜請求項７の何れか１項に記載の熱源側ユニット。
【請求項９】
前記熱交換器は、上下に分割された複数の熱交換器を含み、
前記複数の熱交換器のそれぞれには、圧縮機から吐出され前記複数の熱交換器のそれぞれに流入する冷媒の流量を調整する弁が接続されており、
前記除霜運転を行う際に、前記複数の熱交換器のうちの上側に配置された熱交換器よりも下側に配置された熱交換器に、前記圧縮機から吐出された冷媒が多く流入するように、前記弁を調整することを特徴とする請求項１〜請求項８の何れか１項に記載の熱源側ユニット。
【請求項１０】
請求項１〜請求項９の何れか１項に記載の熱源側ユニットを複数台有することを特徴とする空気調和装置。
【発明の詳細な説明】
【技術分野】
【０００１】
この発明は、熱源側ユニットおよび空気調和装置に関する。
【背景技術】
【０００２】
空気調和装置において、低外気温時に暖房運転を行うと、蒸発器として機能する室外熱交換器のフィン表面および冷媒配管に、霜が付着するおそれがあった。室外熱交換器のフィン表面および冷媒配管に霜が付着すると、室外熱交換器の風路圧力損失が増大して、伝熱性能が低下してしまう問題点があった。【０００３】
上記の問題点について、例えば、以下の特許文献１に示す従来技術では、室外熱交換器を上下方向に複数に分割していた。特許文献１の従来技術では、コンプレッサからの吐出ガスの一部を、分割された各室外熱交換器に切り換えながら流して、暖房と徐霜を並行して行っていた。
【先行技術文献】
【特許文献】
【０００４】
【特許文献１】特開平９−３１８２０６号公報（第５頁、図１）
【発明の概要】
【発明が解決しようとする課題】
【０００５】
しかしながら、特許文献１に記載の従来技術では、蒸発器として機能する室外熱交換器と除霜運転する室外熱交換器とが同一風路に置かれていた。その結果、特許文献１の従来技術では、除霜運転中にファンを駆動すると、除霜運転する室外熱交換器が、外気と熱交換を行ってしまうため、除霜に使用される熱量が減少してしまっていた。
なお、特許文献１の従来技術にて、除霜運転する室外熱交換器と外気との熱交換を抑制するためにファンを停止すると、蒸発器として機能する室外熱交換器での熱交換量が減少し、暖房能力が低下してしまう。
さらに、特許文献１の従来技術では、除霜運転中に暖められた空気が、室外熱交換器の上方から放出されて、除霜運転の効率が悪化するおそれを排除できていなかった。【０００６】
この発明は、上記の課題のうちの少なくとも１つを解決するためになされたものであり、その目的は、好適に除霜を行うことができる熱源側ユニットを得ることである。
【課題を解決するための手段】
【０００７】
この発明に係る熱源側ユニットは、吸引口および吹出口が形成された本体ケースと、前記本体ケースに収容され、前記吸引口と前記吹出口との間の風路に設置された熱交換器と、前記熱交換器よりも上方に設置され、前記風路を開閉するダンパーと、を備え、前記熱交換器に付着した霜を除霜する除霜運転を行う際に、前記ダンパーが閉じられることを特徴とする。
【発明の効果】
【０００８】
この発明によれば、除霜運転中に熱交換器よりも上方に設置されたダンパーを閉じることによって、除霜運転時の放熱を本体ケース内に滞留させ、除霜を行う熱交換器の周囲温度を上昇させて、好適に除霜を行うことができる熱源側ユニットを得ることができる。
【図面の簡単な説明】
【０００９】
【図１】この発明の実施の形態１に係る空気調和装置の冷媒回路の一例を示す概略図である。
【図２】図１に示す空気調和装置を構成する主な要素の配置を示す模式図である。
【発明を実施するための形態】
【００１０】
以下、図面を参照して、この発明の実施の形態について説明する。なお、各図中、同一または相当する部分には、同一符号を付して、その説明を適宜省略または簡略化する。また、各図に記載の構成について、その大きさおよび配置は、この発明の範囲内で適宜変更することができる。
【００１１】
実施の形態１．
図１は、この実施の形態に係る空気調和装置１の冷媒回路の一例を示す概略図である。空気調和装置１は、例えば、ビルまたはマンション等に設置されるものであり、冷媒（空調用冷媒）を循環させる冷凍サイクル（ヒートポンプサイクル）を利用することで、冷房負荷および暖房負荷を供給することができる。
【００１２】
空気調和装置１は、熱源側ユニット（室外機）１００Ａ、１００Ｂと負荷側ユニット（室内機）２００とを有する。熱源側ユニット１００Ａ、１００Ｂと負荷側ユニット２００とは、ヘッダー１３２、１３４および冷媒配管を介して連結されており、主となる冷媒回路を構成する。なお、空気調和装置１は、１台の熱源側ユニットを有する構成であっても良く、３台以上の熱源側ユニットを有する構成であっても良い。ここで、空気調和装置１が、複数の熱源側ユニットを含む場合には、以下に説明するように、暖房運転を行いながら除霜運転を行うことができる。また、空気調和装置１は、２台以上の負荷側ユニットを有する構成であっても良い。
【００１３】
冷媒配管は、気体の冷媒（ガス冷媒）が流れるガス配管１０５および液体の冷媒（液冷媒または気液二相冷媒）が流れる液配管１０６等を含む。冷媒回路に循環させる冷媒は、特に限定されず、例えば、ＨＦＣ系冷媒であるＲ４１０Ａ、Ｒ４０４ＡまたはＨＦＯ（ハイドロ・フルオロ・オレフィン）等、または自然冷媒であるＣＯ２またはアンモニア等である。
【００１４】
熱源側ユニット１００Ａは、圧縮機１０１Ａ、四方弁１０２Ａ、第１熱交換器１０３Ａ１、第２熱交換器１０３Ａ２、アキュムレータ１０４Ａ、第１弁１０７Ａ１、第２弁１０７Ａ２、第３弁１０８Ａ１、第４弁１０８Ａ２、送風機１０９Ａ、第１温度センサ１１０Ａ１、および第２温度センサ１１０Ａ２を含み、これらの構成は本体ケース１２０Ａ内に収容されている。
【００１５】
圧縮機１０１Ａは、吸入した冷媒を圧縮して、高温・高圧の状態にするものである。四方弁１０２Ａは、冷房運転時と暖房運転時とで、冷媒回路に流れる冷媒の流れを切り替えるものである。
【００１６】
第１熱交換器１０３Ａ１は、その周囲の空気と第１熱交換器１０３Ａ１内を流れる冷媒との熱交換を行うものである。第１熱交換器１０３Ａ１は、例えば、蒸発器として機能し、冷媒を蒸発ガス化させる。または、第１熱交換器１０３Ａ１は、放熱器（凝縮器）として機能し、冷媒を凝縮液化させる。なお、第２熱交換器１０３Ａ２は、第１熱交換器１０３Ａ１と同様の構成であるため、説明を省略する。この実施の形態では、第１熱交換器１０３Ａ１および第２熱交換器１０３Ａ２の２台の熱交換器を有する例について説明するが、１台の熱交換器を有する構成であっても良く、３台以上の熱交換器を有する構成であっても良い。
【００１７】
送風機１０９Ａは、第１熱交換器１０３Ａ１および第２熱交換器１０３Ａ２に送風を行うものである。アキュムレータ１０４Ａは、四方弁１０２Ａと圧縮機１０１Ａとの間に配置され、過剰な冷媒を貯留するものである。アキュムレータ１０４Ａは、例えば、過剰な冷媒を貯留する容器である。
【００１８】
第１弁１０７Ａ１、第２弁１０７Ａ２、第３弁１０８Ａ１、および第４弁１０８Ａ２は、例えば、電磁弁であり、その開度を調整して、冷媒回路に流れる冷媒の流量を調整するものである。第１弁１０７Ａ１は、圧縮機１０１Ａと第１熱交換器１０３Ａ１との間の流路に配置される。第２弁１０７Ａ２は、圧縮機１０１Ａと第２熱交換器１０３Ａ２との間の流路に配置される。第３弁１０８Ａ１は、熱交換器２０１と第１熱交換器１０３Ａ１との間の流路に配置される。第４弁１０８Ａ２は、熱交換器２０１と第２熱交換器１０３Ａ２との間の流路に配置される。
【００１９】
第１温度センサ１１０Ａ１は、例えば、サーミスタであり、第１熱交換器１０３Ａ１に流れる冷媒の温度を検知するものである。第１温度センサ１１０Ａ１は、例えば、第１熱交換器１０３Ａ１に取り付けられる。第１温度センサ１１０Ａ１は、冷房用運転時又は除霜運転時において冷媒流出側の冷媒温度を検出し、且つ暖房用運転時において冷媒流入側の冷媒温度を検出するように、第１熱交換器１０３Ａ１と四方弁１０２Ａとの間に設置される。したがって、第１温度センサ１１０Ａ１の検知結果に基づいて、熱源側ユニット１００Ａが、除霜運転を行っているか、または暖房用運転を行っているかを判断することができる。
【００２０】
第２温度センサ１１０Ａ２は、第１温度センサ１１０Ａ１と同様に、例えば、サーミスタであり、第２熱交換器１０３Ａ２に流れる冷媒の温度を検知するものである。第２温度センサ１１０Ａ２は、例えば、第２熱交換器１０３Ａ２に取り付けられる。第２温度センサ１１０Ａ２は、冷房用運転時又は除霜運転時において冷媒流出側の温度を検出し、且つ暖房用運転時において冷媒流入側の温度を検出するように、第２熱交換器１０３Ａ２と四方弁１０２Ａとの間に設置される。したがって、第２温度センサ１１０Ａ２の検知結果に基づいて、熱源側ユニット１００Ａが、除霜運転を行っているか、または暖房用運転を行っているかを判断することができる。
【００２１】
熱源側ユニット１００Ｂは、圧縮機１０１Ｂ、四方弁１０２Ｂ、第１熱交換器１０３Ｂ１、第２熱交換器１０３Ｂ２、アキュムレータ１０４Ｂ、第１弁１０７Ｂ１、第２弁１０７Ｂ２、第３弁１０８Ｂ１、第４弁１０８Ｂ２、送風機１０９Ｂ、第１温度センサ１１０Ｂ１、および第２温度センサ１１０Ｂ２を含み、これらの構成は、本体ケース１２０Ｂ内に収容されている。
例えば、熱源側ユニット１００Ｂの圧縮機１０１Ｂは、熱源側ユニット１００Ａの圧縮機１０１Ａに対応する。また、四方弁１０２Ｂ、第１熱交換器１０３Ｂ１、第２熱交換器１０３Ｂ２、アキュムレータ１０４Ｂ、第１弁１０７Ｂ１、第２弁１０７Ｂ２、第３弁１０８Ｂ１、第４弁１０８Ｂ２、送風機１０９Ｂ、第１温度センサ１１０Ｂ１、および第２温度センサ１１０Ｂ２についても、熱源側ユニット１００Ａの同じ数字のものにそれぞれ対応する。
熱源側ユニット１００Ｂは、熱源側ユニット１００Ａと同様の構成であるため、詳細の説明については省略する。
なお、熱源側ユニット１００Ａと熱源側ユニット１００Ｂとは、同一の筐体内に配置されても良い。
【００２２】
負荷側ユニット２００は、熱交換器２０１、絞り手段２０２、および送風機２０３を含み、これらの構成は、筐体２０４内に収容されている。熱交換器２０１と絞り手段２０２とは直列に接続されている。熱交換器２０１は、その周囲の空気と熱交換器２０１内を流れる冷媒との熱交換を行うものである。熱交換器２０１は、例えば、蒸発器として機能し、冷媒を蒸発ガス化させる。または、熱交換器２０１は、放熱器（凝縮器）として機能し、冷媒を凝縮液化させる。
【００２３】
絞り手段２０２は、減圧弁または膨張弁として機能し、冷媒を減圧・膨張させるものである。絞り手段２０２は、例えば、開度が可変に制御可能な電子式膨張弁であり、開度を調整することによって、緻密な流量制御を行うことができる。または、絞り手段２０２は、毛細管等の安価な冷媒流量調節手段であっても良い。
【００２４】
図２は、図１に示す空気調和装置１を構成する主な要素の配置を示す模式図である。なお、熱源側ユニット１００Ａと熱源側ユニット１００Ｂとは同様の構成であるので、以下の説明では、この発明の理解を容易にするために、熱源側ユニット１００Ａについてのみ説明を行い、熱源側ユニット１００Ｂについては説明を省略する。
【００２５】
図２に示すように、本体ケース１２０Ａは、筐体１４０Ａ、吹出し側フード１４１Ａおよび吸込み側フード１４２Ａを含む。筐体１４０Ａには、第１熱交換器１０３Ａ１および第２熱交換器１０３Ａ２が収容されている。第１熱交換器１０３Ａ１および第２熱交換器１０３Ａ２は、例えば、筐体１４０Ａの前面側（図示の左側）に配置される。第１熱交換器１０３Ａ１は、第２熱交換器１０３Ａ２よりも上側に配置される。筐体１４０Ａの前面側は開口されており、筐体１４０Ａの外側の外気を筐体１４０Ａ内に取り込むことができる。
【００２６】
筐体１４０Ａの前面側には、吸込み側フード１４２Ａが設置されている。吸込み側フード１４２Ａは、筐体１４０Ａの前面から突出しており、本体ケース１２０Ａの前面開口から、雨、雪または風等が入り込まないようになっている。吸込み側フード１４２Ａの下側は開口されており、吸引口１２１Ａになっている。吸引口１２１Ａは、好適には、第１熱交換器１０３Ａ１および第２熱交換器１０３Ａ２よりも下側に形成される。
【００２７】
筐体１４０Ａの上面側（図示の上側）は開口されており、送風機１０９Ａが設置されている。なお、送風機１０９Ａは、本体ケース１２０Ａの所望の位置に設置することができるが、好適には、第１熱交換器１０３Ａ１および第２熱交換器１０３Ａ２よりも上側に設置される。送風機１０９Ａは、図示を省略してある駆動制御部によって駆動される。送風機１０９Ａは、冷房用運転および暖房用運転の際に駆動され、除霜運転の際には停止される。
【００２８】
筐体１４０Ａの上面側には、吹出し側フード１４１Ａが設置される。吹出し側フード１４１Ａは、筐体１４０Ａおよび送風機１０９Ａの上側を覆っており、本体ケース１２０Ａの上面開口部から、雨、雪または風等が入り込まないようになっている。吹出し側フード１４１Ａの前面側（図示の左側）には、吹出口１２２Ａが形成されている。吹出口１２２Ａは、好適には、その上側が突出している。吹出口１２２Ａは、吸引口１２１Ａ、第１熱交換器１０３Ａ１、第２熱交換器１０３Ａ２および送風機１０９Ａよりも上側に形成される。
【００２９】
開閉動作を行う可動ダンパー１４３Ａは、第１熱交換器１０３Ａ１および第２熱交換器１０３Ａ２よりも上側に設置され、吸引口１２１Ａと吹出口１２２Ａとの間の風路を開閉する。この実施の形態では、可動ダンパー１４３Ａは、吹出口１２２Ａに設置されている。可動ダンパー１４３Ａは、例えば、図示を省略してある駆動制御部によって駆動され、吹出口１２２Ａの開閉を行う。可動ダンパー１４３Ａの開閉を行うことで、吸引口１２１Ａと吹出口１２２Ａとの間の風路の開閉が行われる。
【００３０】
可動ダンパー１４３Ａは、例えば、図示を省略してある駆動制御部によって駆動され、冷房用運転および暖房用運転の際には開状態になり、除霜運転の際には閉状態になる。可動ダンパー１４３Ａが開状態のときに、送風機１０９Ａを駆動すると、吸引口１２１Ａから外気が取り込まれる。吸引口１２１Ａから取り込まれた外気は、第１熱交換器１０３Ａ１および第２熱交換器１０３Ａ２を通り、吹出口１２２Ａから吹き出される。
【００３１】
次に、空気調和装置１の暖房運転時の動作について説明する。なお、以下の説明では、高圧または低圧とは、冷媒回路内における圧力の相対的な関係を表すものとする。温度についても同様であり、高温または低温とは、冷媒回路内における温度の相対的な関係を表す。
【００３２】
熱源側ユニット１００Ａ、１００Ｂの圧縮機１０１Ａ、１０１Ｂで加圧された高温・高圧ガス（気体）の冷媒は、四方弁１０２Ａを通って、ヘッダー１３２に流入する。圧縮機１０１Ａで加圧された冷媒と圧縮機１０１Ｂで加圧された冷媒とは、ヘッダー１３２で合流して、負荷側ユニット２００に流入する。
【００３３】
負荷側ユニット２００に流入した冷媒は、熱交換器２０１内を通過し周囲空気と熱交換が行われて凝縮する。なお、負荷側ユニット２００の熱交換器２０１に流入する冷媒の圧力は、絞り手段２０２によって調整されている。熱交換器２０１内を通過した中間圧力の液体又は気液二相状態の冷媒は、ヘッダー１３４にて分岐されて、熱源側ユニット１００Ａおよび熱源側ユニット１００Ｂに流入する。
【００３４】
熱源側ユニット１００Ａ、１００Ｂに流入した冷媒は、第１熱交換器１０３Ａ１、１０３Ｂ１および第２熱交換器１０３Ａ２、１０３Ｂ２内を通過することで周囲空気と熱交換が行われ、蒸発してガス冷媒となる。このガス冷媒は、四方弁１０２Ａ、１０２Ｂ、アキュムレータ１０４Ａ、１０４Ｂを介して圧縮機１０１Ａ、１０１Ｂに吸入される。圧縮機１０１Ａ、１０１Ｂに吸入された冷媒は、再び加圧されて吐出される。
【００３５】
次に、この実施の形態に係る空気調和装置１の除霜運転時の動作について説明する。以下の説明では、熱源側ユニット１００Ａにて、除霜運転を行う例について説明する。このときには、熱源側ユニット１００Ｂでは暖房用運転が行われる。なお、熱源側ユニット１００Ｂにて除霜運転を行い、熱源側ユニット１００Ａにて暖房用運転を行っても良い。このように、熱源側ユニット１００Ａまたは熱源側ユニット１００Ｂの一方で除霜運転を行い、且つ熱源側ユニット１００Ａまたは熱源側ユニット１００Ｂの他方で暖房用運転を行うことによって、暖房運転を行いながら除霜運転を行うことができる。
【００３６】
熱源側ユニット１００Ａにて、除霜運転を行う場合には、第１弁１０７Ａ１および第２弁１０７Ａ２を開けて、第３弁１０８Ａ１および第４弁１０８Ａ２を閉じる。これによって、圧縮機１０１Ａから吐出された高温の冷媒の一部は、第１弁１０７Ａ１および第２弁１０７Ａ２を通り、第１熱交換器１０３Ａ１および第２熱交換器１０３Ａ２に流入する。なお、第１熱交換器１０３Ａ１および第２熱交換器１０３Ａ２に流入する以外の圧縮機１０１Ａからの高温冷媒は、負荷側ユニット２００の熱交換器２０１に流入する。
【００３７】
高温の冷媒が、第１熱交換器１０３Ａ１および第２熱交換器１０３Ａ２に流入すると、高温のガス冷媒と第１熱交換器１０３Ａ１および第２熱交換器１０３Ａ２に付着した霜との熱交換が行われる。具体的には、第１熱交換器１０３Ａ１および第２熱交換器１０３Ａ２に付着した霜は、高温のガス冷媒の熱を吸熱する。その結果、第１熱交換器１０３Ａ１および第２熱交換器１０３Ａ２に付着した霜は、融解して流れ落ちる。なお、このときには、上記のように、第３弁１０８Ａ１および第４弁１０８Ａ２を閉じてあるので、液配管１０６からの低温冷媒は、第１熱交換器１０３Ａ１および第２熱交換器１０３Ａ２には流入しないようになっている。
【００３８】
熱源側ユニット１００Ａにて除霜運転を行っているときには、熱源側ユニット１００Ｂでは暖房用運転が行われる。すなわち、圧縮機１０１Ｂで加圧された高温・高圧のガス冷媒は、ガス配管１０５を通って、負荷側ユニット２００の熱交換器２０１内に流入する。熱交換器２０１内を通過した中間圧力の液体又は気液二相状態の冷媒は、液配管１０６を通って、熱源側ユニット１００Ｂの第１熱交換器１０３Ｂ１および第２熱交換器１０３Ｂ２内を通過してガス冷媒となる。このガス冷媒は、再び圧縮機１０１Ａに吸入され、加圧されて吐出される。
【００３９】
上記のように、この実施の形態に係る空気調和装置１では、除霜運転を行う熱源側ユニット１００Ａにおいて、吸引口１２１Ａと吹出口１２２Ａとの間の風路に設置された可動ダンパー１４３Ａを閉じてある。例えば、所定時間毎に除霜運転を行うように、熱源側ユニット１００Ａの第１弁１０７Ａ１、第２弁１０７Ａ２、第３弁１０８Ａ１、および第４弁１０８Ａ２が切り替えられる。例えば、このときに、可動ダンパー１４３Ａの駆動制御部は、第１温度センサ１１０Ａ１および第２温度センサ１１０Ａ２の検知結果に基づいて、可動ダンパー１４３Ａを閉じる。
【００４０】
この実施の形態では、除霜運転の際に可動ダンパー１４３Ａを閉じてあるので、除霜運転を行う熱源側ユニット１００Ａでは、吸引口１２１Ａから熱交換器１０３Ａ１、１０３Ａ２を通り吹出口１２２Ａへ向かう空気流れが発生しない。さらに、熱交換器１０３Ａ１、１０３Ａ２よりも上側の吹出口１２２Ａを閉じてあるため、本体ケース１２０Ａ内の熱交換器１０３Ａ１、１０３Ａ２等で暖められて上昇した空気が、本体ケース１２０Ａ外に逃げない構成になっている。しかも、吸引口１２１Ａが熱交換器１０３Ａ１、１０３Ａ２よりも下側に形成されているため、本体ケース１２０Ａ外の冷たい外気が本体ケース１２０Ａ内に入り込み難い構成になっている。したがって、この実施の形態に係る熱源側ユニット１００Ａでは、本体ケース１２０Ａ内に暖かい空気が溜め込まれる。その結果、この実施の形態では、除霜を行う熱交換器１０３Ａ１、１０３Ａ２の周囲温度を上昇させて、除霜運転を好適に行うことができる。
【００４１】
さらに、この実施の形態では、除霜運転を行う熱源側ユニット１００Ａでは、送風機１０９Ａが停止されている。例えば、所定時間毎に除霜運転を行うように、熱源側ユニット１００Ａの第１弁１０７Ａ１、第２弁１０７Ａ２、第３弁１０８Ａ１、および第４弁１０８Ａ２が切り替えられる。例えば、このときに、送風機１０９Ａの駆動制御部は、第１温度センサ１１０Ａ１および第２温度センサ１１０Ａ２の検出結果に基づいて、送風機１０９Ａを停止する。
【００４２】
この実施の形態では、除霜運転を行う際に送風機１０９Ａが停止されているので、除霜運転を行う熱源側ユニット１００Ａでは、本体ケース１２０Ａ内での空気流れが抑制されており、その結果、本体ケース１２０Ａ内の空気と熱交換器１０３Ａ１、１０３Ａ２との熱交換が抑制される。このため、この実施の形態では、熱交換器１０３Ａ１、１０３Ａ２に流れる冷媒と熱交換器１０３Ａ１、１０３Ａ２に付着した霜との熱交換が好適に行われる。
【００４３】
さらに、送風機１０９Ａは、熱交換器１０３Ａ１、１０３Ａ２よりも上側に配置されているので、熱交換器１０３Ａ１、１０３Ａ２等で暖められた空気が上方に逃げにくい構成になっている。したがって、この実施の形態に係る熱源側ユニット１００Ａでは、本体ケース１２０Ａ内が好適に暖められるため、除霜運転を好適に行うことができる。
【００４４】
好適には、除霜運転の際には、例えば、図２に示すように、第２弁１０７Ａ２の開度を第１弁１０７Ａ１の開度よりも大きくして、第２弁１０７Ａ２の抵抗値を第１弁１０７Ａ１の抵抗値よりも小さくする。このように、第１弁１０７Ａ１および第２弁１０７Ａ２を調整することによって、第１熱交換器１０３Ａ１よりも下側に設置された第２熱交換器１０３Ａ２に、圧縮機１０１Ａからの高温冷媒が多く流れる。第１熱交換器１０３Ａ１よりも第２熱交換器１０３Ａ２に高温冷媒を多く流すことによって、上側に設置された第１熱交換器１０３Ａ１よりも周囲温度が低い第２熱交換器１０３Ａ２での除霜を促進させることができる。その結果、除霜運転の時間を短縮することができる。
【００４５】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００４６】
例えば、上記の実施の形態では、吸引口１２１Ａよりも上方に吹出口１２２Ａが形成された例について説明したが、吹出口よりも上方に吸引口が形成されても良い。この場合においても、除霜運転時に、熱交換器よりも上方に設置された可動ダンパーを閉じて、吸引口と吹出口との間の風路を閉じることによって、本体ケース内に暖かい空気を溜め込むことができる。その結果、除霜運転を好適に行うことができる。
【００４７】
また、例えば、上記の実施の形態では、可動ダンパー１４３Ａを吹出口１２２Ａに設置した例について説明したが、可動ダンパーは、熱交換器の上方であって且つ吸引口と吹出口との間の風路を閉じることができる位置に設置してあれば良い。このように、可動ダンパーを設置することによって、本体ケース内に暖かい空気を溜め込むことができるため、除霜運転を好適に行うことができるからである。例えば、可動ダンパーは、熱交換器の上方であって且つ送風機の下側に設置してあっても良い。
【符号の説明】
【００４８】
１  空気調和装置、１００Ａ  熱源側ユニット、１００Ｂ  熱源側ユニット、１０１Ａ  圧縮機、１０１Ｂ  圧縮機、１０２Ａ  四方弁、１０２Ｂ  四方弁、１０３Ａ１  第１熱交換器、１０３Ａ２  第２熱交換器、１０３Ｂ１  第１熱交換器、１０３Ｂ２  第２熱交換器、１０４Ａ  アキュムレータ、１０４Ｂ  アキュムレータ、１０５  ガス配管、１０６  液配管、１０７Ａ１  第１弁、１０７Ａ２  第２弁、１０７Ｂ１  第１弁、１０７Ｂ２  第２弁、１０８Ａ１  第３弁、１０８Ａ２  第４弁、１０８Ｂ１  第３弁、１０８Ｂ２  第４弁、１０９Ａ  送風機、１０９Ｂ  送風機、１１０Ａ１  第１温度センサ、１１０Ａ２  第２温度センサ、１１０Ｂ１  第１温度センサ、１１０Ｂ２  第２温度センサ、１２０Ａ  本体ケース、１２０Ｂ  本体ケース、１２１Ａ  吸引口、１２１Ｂ  吸引口、１２２Ａ  吹出口、１２２Ｂ  吹出口、１３２  ヘッダー、１３４  ヘッダー、１４０Ａ  筐体、１４０Ｂ  筐体、１４１Ａ  吹出し側フード、１４１Ｂ  吹出し側フード、１４２Ａ  吸込み側フード、１４２Ｂ  吸込み側フード、１４３Ａ  可動ダンパー、１４３Ｂ  可動ダンパー、２００  負荷側ユニット、２０１  熱交換器、２０２  絞り手段、２０３  送風機、２０４  筐体。
【図１】
2015121985.tif 000003
【図２】
2015121985.tif 000004
【国際調査報告】
2015121985.tif 000005
2015121985.tif 000006
2015121985.tif 000007
2015121985.tif 000008